(57)【特許請求の範囲】
【請求項１】
エレベータかごに設置された音響機器を覆うと共に、厚さ方向に貫通する音抜き用の貫通部を備えたエレベータかごの音響機器カバーであって、
前記カバーの表面を、凸面鏡機能を有するフレネルミラーにより形成したエレベータかごの音響機器カバー。
【請求項２】
前記フレネルミラーが、透明樹脂板に径が微小寸法で順次異なる多数の円環状溝を同心円状に形成し、これら円環状溝の傾斜面に反射層を積層した構成からなる請求項１に記載のエレベータかごの音響機器カバー。
【請求項３】
前記貫通部が、複数の貫通穴により形成されている請求項１または２に記載のエレベータかごの音響機器カバー。
【請求項４】
前記貫通部が、単数または複数の貫通スリットにより形成されている請求項１または２に記載のエレベータかごの音響機器カバー。
【請求項５】
前記貫通部が、この貫通部を具備していないフレネルミラーに後加工により形成されたものである請求項１〜４のいずれかに記載のエレベータかごの音響機器カバー。
【請求項６】
乗降口の左右両側の壁面の少なくとも一方に操作盤を設けたエレベータのかごに対し、前記操作盤に装着された音響機器の表面側を覆うように請求項１〜５のいずれかに記載の音響機器カバーを取り付けたエレベータかごにおける音響機器カバーの取付け構造。
【請求項７】
前記音響機器カバーの幅方向中心に対して、前記フレネルミラーの円環状溝の同心円中心を前記乗降口側とは反対側に偏在させた請求項６に記載のエレベータかごにおける音響機器カバーの取付け構造。
【発明の詳細な説明】
【技術分野】
【０００１】
本発明はエレベータかごの音響機器カバーおよびその取付け構造に関し、さらに詳しくは、エレベータかごの壁に取り付けられた音響機器カバーの音抜き穴に対する違和感を解消すると共に、かごが密室状態になった際の防犯性を向上させたエレベータかごの音響機器カバーおよびその取付け構造に関する。
【背景技術】
【０００２】
一般にビルなどに設置されたエレベータには、かごの乗降口の左右両側又は片側の内壁面に、停止階を指定するボタンと開閉扉を開閉操作するボタンとを設けた操作盤が取付られている（例えば、特許文献１参照）。この操作盤には、多数の貫通穴を有するプレートも設置されている。このプレートは、その内側に設けられた音響機器（スピーカやマイク）を露出させないようにしたカバーである。これら貫通穴を通じて、スピーカーから出る音声はかごの内部にいる搭乗者に伝達され、かご内部にいる搭乗者の音声はマイクに伝達される。
【０００３】
しかし、エレベータの搭乗者には、上記プレートが音響機器を覆っていることを認識している人は非常に少ない。そのため、多数の貫通穴が形成されたプレートを外観上から見栄えが悪いと思ったり、違和感を持っている人が少なくない。エレベータに関する別の問題として、かごが昇降運転中に一時的に密室状態になるため、近年、この密室状態での不安感を解消する防犯対策が必要とされている。
【先行技術文献】
【特許文献】
【０００４】
【特許文献１】特開平６−２６３３４９号公報
【発明の概要】
【発明が解決しようとする課題】
【０００５】
本発明の目的は、エレベータかごの壁に取り付けられた音響機器カバーの音抜き穴に対する違和感を解消すると共に、かごが密室状態になった際の防犯性を向上させたエレベータかごの音響機器カバーおよびその取付け構造を提供することにある。
【課題を解決するための手段】
【０００６】
上記目的を達成する本発明のエレベータかごの音響機器カバーは、エレベータかごに設置された音響機器を覆うと共に、厚さ方向に貫通する音抜き用の貫通部を備えたエレベータかごの音響機器カバーであって、前記カバーの表面を、凸面鏡機能を有するフレネルミラーにより形成したことを特徴とする。
【０００７】
本発明のエレベータかごの音響機器カバーの取付け構造は、乗降口の左右両側の壁面の少なくとも一方に操作盤を設けたエレベータのかごに対し、前記操作盤に装着された音響機器の表面側を覆うように上記の音響機器カバーを取り付けたことを特徴とする。
【発明の効果】
【０００８】
本発明によれば、音響機器カバーの表面がフレネルミラーで形成されているため、エレベータの搭乗者の注意心がフレネルミラーに映る映像に向けられることにより、音抜き穴として機能する貫通部に対する意識を低下させて、貫通部に対する違和感を解消させることができる。しかも、フレネルミラーに映る映像によって搭乗者は背面側の死角を確認できるため、密室状態のかごにおける防犯効果を向上させることができる。
【０００９】
本発明の音響機器カバーにおいて、上記フレネルミラーは、透明樹脂板に径が順次異なる多数の円環状溝を同心円状に形成すると共に、これら円環状溝の傾斜面に反射層を積層した構成からなるものが好ましい。音抜き用の貫通部は、複数の貫通穴により形成したものでも、或いは単数または複数の貫通スリットで形成したものでもよい。
【００１０】
この貫通部は、フレネルミラーを射出成形する時に同時成形してもよいが、好ましくは貫通部を具備しないフレネルミラーを形成後に、後加工により形成するようにしたものがよい。これにより、貫通部を形成する際にフレネルミラーの映像に歪みを生じさせる製造上の不具合を回避するには有利になる。
【００１１】
エレベータかごの乗降口左右両側の壁面の少なくとも一方に操作盤を設けたエレベータに対する本発明の音響機器カバーの取付け構造としては、前記操作盤に装着された音響機器を覆うカバーとして取り付けるのがよい。特に大型エレベータのかごに対する本発明の音響機器カバーの取付けは、前記音響機器カバーの幅方向中心に対して、フレネルミラーの円環状溝の同心円中心を前記乗降口側とは反対側に偏在させるようにすることが好ましい。これにより、エレベータかご内部のより広い範囲をフレネルミラーの映像で把握することができる。それ故、防犯効果が益々向上する。
【図面の簡単な説明】
【００１２】
【図１】本発明のカバーの第１実施形態を例示する正面図である。
【図２】図１のカバーをＨＣＬ線に沿う断面で示す一部拡大断面図である。
【図３】図１のカバーを設けた大型エレベータを平面視で例示する説明図である。
【図４】図３のエレベータかごに設置された操作盤を例示する正面図である。
【図５】図４のＡ−Ａ断面図である。
【図６】本発明のカバーの第２実施形態を例示する正面図である。
【図７】本発明のカバーの第３実施形態を例示する正面図である。
【図８】本発明のカバーの第４実施形態を例示する正面図である。
【発明を実施するための形態】
【００１３】
以下、本発明のエレベータかごの音響機器カバーおよびその取付け構造を図に示した実施形態に基づいて説明する。
【００１４】
図１、２に例示する本発明の第１実施形態の音響機器カバー１（以下、単に「カバー１」という）は、表面がフラットでありながら凸面鏡機能を有するフレネルミラー２として形成され、かつ音抜き用の貫通部として、複数の貫通穴９ａが上下２列に横並びに設けられている。表面がフラットでありながら凸面鏡機能を有するフレネルミラー２の詳細については、後述する。
【００１５】
図３は、本発明のカバー１が取り付けられたエレベータを例示する。エレベータホール１５側の乗降口１６と、エレベータかご１０（以下、単に「かご１０」という）側の乗降口１０ｂとが互いに対向する配置になっている。
【００１６】
かご１０の乗降口１０ｂの左右両側の壁１０ａの内壁面には、それぞれ図４に例示する操作盤１２が取り付けられている。この操作盤１２の上部位置には、図５に示すように音響機器１４が内設されており、その音響機器１４の表面側を覆うように、本発明のカバー１が取り付けられている。
【００１７】
操作盤１２には、音響機器１４のほかに、かご１０の停止階を指示する操作ボタン１３ａ、開閉扉１１の開閉を指示する操作ボタン１３ｂ、インターホンをオン・オフする操作ボタン１３ｃなどが設置されている。音響機器１４としては、予め設定されたプログラムに従って停止階到着などを案内放送する音声案内スピーカ１４ａ、非常時にかご１０内と外部管理室との間で交信するインターホンマイク１４ｃおよびインターホンスピーカ１４ｂなどが設けられている。
【００１８】
操作盤１２に取り付けられたカバー１の高さ（カバー下端の高さ）としては、即ちかご１０の床面からの高さとしては、１５０ｃｍ〜１８０ｃｍ程度にするとよい。これにより音声案内スピーカ１４ａやインターホンスピーカ１４ｂからの音声をかご１０の内部全体に良好に拡散させることができ、またインターホンマイク１４ｃへの音声の入力を可能にする。
【００１９】
同様の理由により、カバー１に設ける貫通穴９ａの大きさとしては、円形穴の場合は直径１ｍｍ〜５ｍｍ程度にするとよい。貫通穴９ａの形状は、三角形、四角形、菱形、星形、楕円形などの非円形でもよい。この非円形の場合の大きさは、内接円の寸法で１ｍｍ〜５ｍｍ程度にするとよい。図１の実施形態では、複数の貫通穴９ａを直線状に上下２列に配列したが、１列や３列以上であってもよい。また、配列の仕方は直線状のほか、曲線状や折れ線状であってもよい。
【００２０】
フレネルミラー２は、図１、２に例示するように透明樹脂板３の裏面側にＶ字状断面を有する多数の円環状溝４Ａが形成されている。図中のＦＭＣは円環状溝４Ａの同心円中心を示している。
【００２１】
円環状溝４Ａは、傾斜面５ａと、隣り合う傾斜面５ａどうしを連結する段差面とで構成されている。これら多数の円環状溝４Ａは同心円中心ＦＭＣを中心にして、径を微小寸法で異ならせて同心状に配列されている。環状溝４の表面はアルミニウムなどの金属の反射層６により被覆され、さらに反射層６の表面は塗料などの樹脂からなる保護層７により被覆されている。保護層７の表面には必要な範囲に両面接着テープや接着剤等の貼り付け層８が設けられる。この貼り付け層８を介してカバー１が操作盤１２に固定されている。
【００２２】
多数の径が異なる円環状溝４Ａは、その溝底（傾斜面５ａ）が透明樹脂板３の面方向に対してなす傾斜角度ａが、同心円中心ＦＭＣから遠い位置の円環状溝４Ａの溝底（傾斜面５ａ）ほど大きくなるように順次変化している。つまり、溝底（傾斜面５ａ）を被覆する反射層６の傾斜角度ａが同心円中心ＦＭＣから遠い位置の反射層６ほど順次大きくなるように変化している。このように円環状溝４Ａの溝底（傾斜面５ａ）の反射層６の傾斜角度ａが変化しているため、フレネルミラー２は表面側から入射する光に対して凸面鏡として機能する。それ故、フラットでありながらフレネルミラー２には広角視野の映像が映される。
【００２３】
図３に例示するエレベータは、かご１０の床面積が大きい大型エレベータである。そのため、乗降口１０ｂの左右両側の壁１０ａの内壁面に、それぞれ操作盤１２、１２が設けられている。そのうち右側の操作盤１２に、第１実施形態のカバー１が取付られている。このカバー１の表面のフレネルミラー２は、円環状溝４Ａの同心円中心ＦＭＣが、カバー１の幅方向中心ＷＣＬに対して乗降口１０ｂ側とは反対側に偏った位置に配置されている。
【００２４】
このように乗降口１０ｂの内壁上に配置したカバー１のフレネルミラー２が、円環状溝４Ａの同心円中心ＦＭＣをカバー１の幅方向中心ＷＣＬに対して乗降口１０ｂ側と反対側に偏った状態であることにより、カバー１の正面の搭乗者Ｈ１がフレネルミラー２で確認できる背面側の視界を、２点鎖線で図示するように左側の視界の方を右側の視界よりも拡大するため、左側端領域にいる搭乗者Ｈ２も問題なく視野に入れることが出来る。それ故、密室状態になったかご１０での防犯性を一段と向上させることができる。
【００２５】
しかし、図６に例示する本発明のカバー１の第２実施形態のように、円環状溝４Ａの同心円中心ＦＭＣをカバー１の幅方向中心ＷＣＬと一致させたフレネルミラー２の場合には、背面側に対する視界は左右同じであり、左側方向への視界の拡大はないので、その左側端部域が死角になる場合がある。勿論、第２実施形態のカバーであっても、通常規模のエレベータで使用する場合であれば、背面の全視野を確認することができる。
【００２６】
図３のエレベータのかご１０において、第１実施形態のカバー１を乗降口１０ｂの左側の壁１０ａの内壁面に配置する場合には、図１に例示したカバー１を左右反転させて取り付ければよい。この取り付けにより、かご１０内の右側領域への視界が拡大し、背面の全領域を視界に入れることができる。
【００２７】
また、本発明のカバー１の取り付けは、大型エレベータでない場合には、必ずしも乗降口１０ｂの両側に配置する必要はなく、背面の全領域を視野に入れることができれば、何れか一方だけであってよい。
【００２８】
上記の効果を得るため、フレネルミラー２の同心円中心ＦＭＣをカバー１の幅方向中心ＷＣＬから偏位させる距離としては、カバー１の幅寸法Ｗの５％〜２５％にするとよい。カバー１の高さ方向（上下方向）に対するフレネルミラー２の同心円中心ＦＭＣの位置としては、カバー１の高さ方向中心ＨＣＬを含めて、高さ方向中心ＨＣＬから上下方向に縦寸法Ｈの１０％の範囲内にするとよい。
【００２９】
尚、本発明のカバー１の取り付け位置は操作盤１２に限らず、かご１０の壁１０ａの内壁面の別の位置にすることもできる。即ち、音響機器１４が操作盤１２とは異なる位置に設置される場合は、設置された音響機器１４を覆うようにカバー１を配置する。
【００３０】
本発明によれば、カバー１の表面を見た搭乗者Ｈ１、Ｈ２の注意心はフレネルミラー２ａに映る映像に向けられる。そのため、音抜き穴として機能する貫通穴９ａに対する搭乗者Ｈ１、Ｈ２の意識を低下させる効果も期待できる。
【００３１】
貫通穴９ａは様々な方法で形成することができる。例えば、フレネルミラー２の透明樹脂板３を成形（射出成形など）する際に同時に貫通穴９ａを形成すると、貫通穴９ａを別途形成する工程を省略することができるので製造コストの観点で有利になる。
【００３２】
好ましくは、貫通穴９ａが形成されていない透明樹脂板３を成形した後に、ドリルなどの機械加工等により後加工で貫通穴９ａを形成するのがよい。最も好ましくは、反射層６を金属蒸着又はメッキで形成し、さらに反射層６に保護層７を被覆してフレネルミラー２を完成させた後に、後加工で貫通穴９ａを形成するとよい。
【００３３】
フレネルミラー２を成形するときに貫通穴９ａを同時成形すると、液状の透明樹脂の流れが貫通穴９ａを形成するための棒型の周囲で乱れを生ずる。この乱れが、ミラーとして使用するときに入射光や反射光に微妙な屈折の乱れを生じ、映像に歪を生ずる原因になるからである。即ち、フレネルミラー２の成形と同時に貫通穴９ａを同時成形すると製造コスト上からは有利であるが、フレネルミラー２の高水準の反射性能を確保するには、完成したフレネルミラー２に対して後加工によって貫通穴９ａを形成すると有利である。
【００３４】
貫通部は、図７に例示するカバー１の第３実施形態のように、カバー１を厚さ方向に貫通する貫通スリット９ｂにすることもできる。この実施形態では、２本の水平に延びる貫通スリット９ｂが上下に間隔をあけて設けられている。貫通スリット９ｂのすき間は例えば１ｍｍ〜５ｍｍ程度あり、長さは適宜決定することができる。貫通スリット９ｂの本数、互いの間隔、位置や方向も適宜決定することができる。
【００３５】
例えば、図８に例示するカバー１の第４実施形態のように、上下に延びる比較的短尺の貫通スリット９ｂを採用することもできる。その他、貫通スリット９ｂを斜めに延在させたり、ジグザグ状に延在させることもできる。また、カバー１には、貫通スリット９ｂと貫通穴９ａとを設けることもできる。
【００３６】
既述した実施形態では、カバー１に貫通穴９ａや貫通スリット９ｂを形成しているが、音抜き穴として機能させるには貫通穴９ａや貫通スリット９ｂに限らず、カバー１を厚さ方向に貫通する貫通部を有すればよい。そこで、例えば、複数枚のカバー１をすき間をあけて並置して、このすき間を音抜き穴として機能させて貫通部にすることもできる。
【００３７】
このように複数枚のカバー１を並置する場合も、そのすき間を例えば２ｍｍ〜５ｍｍにする。音抜き穴として機能するこのすき間は、横方向（左右方向）に延在させるだけでなく、縦方向（上下方向）に延在させることも、斜めに延在させることも、ジグザグ状に延在させることもできる。
【００３８】
また、この場合も既述した実施形態と同様に、フレネルミラー２の同心円中心ＦＭＣの位置を、カバー１の幅方向中心ＷＣＬに対して偏った位置に配置するなど、使用条件に適した配置にする。
【符号の説明】
【００３９】
１  音響機器カバー
２  フレネルミラー
３  透明樹脂板
４Ａ  円環状溝
５ａ  傾斜面
６  反射層
７  保護層
８  貼り付け層
９ａ  貫通穴
９ｂ  貫通スリット
１０  エレベータかご
１０ａ  壁
１０ｂ  乗降口
１１  開閉扉
１２  操作盤
１３ａ、１３ｂ、１３ｃ  操作ボタン
１４  音響機器
１４ａ  音声案内スピーカ
１４ｂ  インターホンスピーカ
１４ｃ  インターホンマイク
１５  エレベータホール
１６  乗降口
ａ  傾斜角度
Ｈ１、Ｈ２  搭乗者
【要約】
【課題】エレベータかごの壁の内側に取り付けられた音響機器カバーの音抜き穴に対する違和感を解消すると共に、かごが密室状態になった際の防犯性を向上させたエレベータかごの音響機器カバーおよびその取付け構造を提供する。
【解決手段】エレベータかご１０に設置される音響機器１４を覆って、このかご１０の壁１０ａの内側に取り付けられるカバー１に対して、カバー１を厚さ方向に貫通する音抜き用の貫通穴９ａを設けて、カバー１の表面を、凸面鏡機能を有するフレネルミラー２により形成する。
【選択図】  図１【図１】
0005993990.tif 000002
【図２】
0005993990.tif 000003
【図３】
0005993990.tif 000004
【図４】
0005993990.tif 000005
【図５】
0005993990.tif 000006
【図６】
0005993990.tif 000007
【図７】
0005993990.tif 000008
【図８】
0005993990.tif 000009